(57)【特許請求の範囲】
【請求項１】
第１ケーシングと、
前記第１ケーシングと連結される第２ケーシングと、
前記第１ケーシングと前記第２ケーシングの接合面に嵌装され、前記接合面によって圧縮される防水パッキンと、
前記第１ケーシングと前記第２ケーシングとを締結するビスと、
を具え、
前記第１ケーシングは、突条からなる第１嵌装部が形成されており、
前記第２ケーシングは、溝条からなり、前記防水パッキンが嵌まる第２嵌装部が形成されており、
前記第１嵌装部の前記突条が前記第２嵌装部の前記溝条に嵌まり、前記防水パッキンは、前記第１嵌装部の突条先端と、前記第２嵌装部の溝条底面によって、前記第１嵌装部の挿入方向のみに圧縮され、
前記第１嵌装部は、前記第２嵌装部に挿入した状態で、前記第１嵌装部の前記突条の側面が、前記第２嵌装部の前記溝条の内側面に当接し、
ビス止め方向は、前記防水パッキンの圧縮方向と非平行である、
ことを特徴とする、筐体の防水構造。
【請求項２】
前記ビス止め方向は、前記防水パッキンの圧縮方向に対して略垂直である、
請求項１に記載の筐体の防水構造。
【請求項３】
前記第１ケーシングに形成された第１係止部と、
前記第２ケーシングに形成され、前記第１係止部に係合する第２係止部と、
を具え、
前記第１係止部と前記第２係止部は、前記防水パッキンの圧縮方向に対して略垂直に抗して係合する、
請求項１又は請求項２に記載の筐体の防水構造。
【請求項４】
前記第２ケーシングは、前記第１ケーシングの外周に沿って舌片が延設されており、
前記舌片と前記第１ケーシングが前記ビスによって締結される、
請求項１乃至請求項３の何れかに記載の筐体の防水構造。
【請求項５】
前記第１ケーシングの外周には、前記舌片の嵌まる凹部が形成されている、
請求項４に記載の筐体の防水構造。
【発明の詳細な説明】
【技術分野】
【０００１】
本発明は、ケーシングどうしの接合面に防水パッキンを配備した筐体の防水構造に関するものである。
【背景技術】
【０００２】
デジタルカメラなどの電子機器は、筐体内に収容される電子部品等の防水性を確保するため、筐体を構成するケーシングに防水空間を設けている。防水空間は、ケーシングの接合面に防水パッキンを嵌装して構成される。
【０００３】
たとえば、特許文献１では、ケーシングどうしの連結に際し、防水パッキンの圧縮方向と平行な向きのビス止めを行なっている。
【先行技術文献】
【特許文献】
【０００４】
【特許文献１】特開２００７−４２８４２号公報
【発明の概要】
【発明が解決しようとする課題】
【０００５】
製造工程やメンテナンスなどにおいて、ケーシングの開閉に伴うビスの締め外しを繰り返し行う場合、ビス止めを防水パッキンの圧縮方向と平行な向きに行なうと、ビス山への負荷が大きくなりガタツキが生じてビスが緩み（所謂ビスバカ）、防水パッキンの圧縮率が下がるから、防水空間の防水性が低下する。またビスの首下へかかる応力が大きいため、ビスが首下から破損する可能性もある。さらに、ビスの締付けが不完全であると、防水パッキンの反発力によりケーシングが開いてしまうことがある。
【０００６】
また、電子機器では、小型化の要請がある一方、防水空間により多くの電子部品を収容し、また、許容される限り大容量のバッテリを搭載したいという要請がある。しかしながら、特許文献１の構造であれば、防水パッキンの外周側にビス止め用の領域を確保する必要があり、筐体の大型化に繋がる。もちろん、ビス止め用の領域を回避するように屈曲して防水パッキンを嵌装することもできるが、かかる構造は防水性の低下を招く虞がある。
【０００７】
本発明の目的は、防水空間の防水性の低下を防止しつつ、筐体の大型化を阻止できる筐体の防水構造を提供することである。
【課題を解決するための手段】
【０００８】
本発明に係る筐体の防水構造は、
第１ケーシングと、
前記第１ケーシングと連結される第２ケーシングと、
前記第１ケーシングと前記第２ケーシングの接合面に嵌装され、前記接合面によって圧縮される防水パッキンと、
前記第１ケーシングと前記第２ケーシングとを締結するビスと、
を具え、
ビス止め方向は、前記防水パッキンの圧縮方向と非平行である。
【０００９】
前記ビス止め方向は、前記防水パッキンの圧縮方向に対して略垂直とすることができる。
【００１０】
前記第１ケーシングに形成された第１係止部と、
前記第２ケーシングに形成され、前記第１係止部に係合する第２係止部と、
を具え、
前記第１係止部と前記第２係止部は、前記防水パッキンの圧縮方向に対して略垂直に抗して係合することができる。
【００１１】
前記第２ケーシングは、前記第１ケーシングの外周に沿って舌片が延設されており、
前記舌片と前記第１ケーシングを前記ビスによって締結することができる。
【００１２】
前記第１ケーシングの外周には、前記舌片の嵌まる凹部を形成することができる。
【発明の効果】
【００１３】
本発明の筐体の防水構造によれば、第１ケーシングと第２ケーシングのビス止め方向を防水パッキンの圧縮方向に対して非平行な向きとすることで、ケーシングの繰返しの開閉に伴うビスの緩みを抑えることができ、防水性の低下を防止できる。とくに、前記ビス止め方向を前記防水パッキンの圧縮方向に対して略垂直とすることで、防水パッキンの反発力はビスに略垂直に作用するから、たとえビスの締付けが不完全であってもケーシングの開きを防止できる。
【００１４】
また、上記構成とすることで、ビス止めのための領域は、防水パッキンの外周以外の部分に設けることができる。従って、ビス止めのために筐体が大型化することを防止できる。
【００１５】
さらに、第１ケーシングと第２ケーシングを係合する係止部を具えることで、組立時に係止部により仮止めを行なうことができ、ビス止めを容易に行なうことができる。なお、係止部による係合のみであれば、筐体に衝撃が加わった際に係止部どうしの係合が外れてしまう虞がある。しかしながら、本発明では仮止め後、防水パッキンの圧縮方向に対して非平行な向きのビス止めを行なっているため、筐体に衝撃が加わっても、係止部が外れることはなく、第１ケーシングと第２ケーシングの浮き等を防止できる。また、ビス止め又は係止部による係止の何れか一方が破損等した場合であっても、ビス止め又は係止部の他方により第１ケーシングと第２ケーシングの係合状態を維持することができる利点もある。
【図面の簡単な説明】
【００１６】
【図１】図１は、本発明の一実施形態に係る筐体の斜視図である。
【図２】図２は、筐体の分解斜視図である。
【図３】図３は、筐体の平面図である。
【図４】図４は、図３の線Ａ−Ａに沿う断面図である。
【図５】図５は、第１ケーシングの凹部を拡大して示す斜視図である。
【図６】図６は、第２ケーシングの舌片を拡大して示す斜視図である。
【図７】図７は、図４の丸囲み部Ｂの拡大図である。
【発明を実施するための形態】
【００１７】
以下、本発明の防水構造を、デジタルカメラ１２の筐体１０に採用した実施形態について説明する。なお、本発明は、デジタルカメラに限らず、携帯電話機、スマートフォン、タブレット型コンピュータ、ＰＤＡ（Personal Digital Assistant）携帯型音楽プレーヤー、ノート型パソコンなどの防水性の要求される電子機器にも採用できる。また、本発明は、電子機器以外であっても防水性を要求される筐体の防水構造として採用することができる。
【００１８】
図１に示すように、デジタルカメラ１２は、レンズ機構１３やフラッシュ機構１４が前面に設けられたフロントケーシング（以下「第１ケーシング２０」）と、第１ケーシング２０の背面を覆うリアケーシング（以下「第２ケーシング３０」）を具える。
【００１９】
図１乃至図３等に示すように、第１ケーシング２０は、側壁２１が後方に向けて突設されており、側壁２１の先端に第２ケーシング３０との接合面２２が形成されている。また、第２ケーシング３０は、側壁３１が前方に向けて突設されており、側壁３１の先端に第１ケーシング２０との接合面３２が形成されている。
【００２０】
接合面２２，３２には、図４乃至図７に示すように、夫々防水パッキン４０の嵌装部２３，３３が形成されている。本実施形態では、図５に示すように第１ケーシング２０の嵌装部２３は突条であって、第１ケーシング２０の接合面２２を一周している。また、図６に示すように第２ケーシング３０の嵌装部３３は、前記突条が嵌まる溝条であって、第２ケーシング３０の接合面３２を一周している。
【００２１】
そして、嵌装部２３，３３に防水パッキン４０を嵌装させた状態で、図２に示すように第１ケーシング２０と第２ケーシング３０を連結し、後述する係止部２７，３７の係合を行なってビス止めする。これにより、図４に示すように、内部に電子部品等を収容する防水空間１６を具備する筐体１０が構成される。
【００２２】
この状態で、防水パッキン４０は、嵌装部２３，３３の突条先端と溝条底面によって圧縮される。すなわち、防水パッキン４０は、第１ケーシング２０と第２ケーシング３０の嵌装部２３，３３により、図７の矢印αの圧縮を受ける。
【００２３】
防水パッキン４０の圧縮に対する反発力は、ケーシング２０，３０の開き方向に作用する。そこで、第１ケーシング２０と第２ケーシング３０は、図２や図７に示すように上記した防水パッキン４０の圧縮方向（図７の矢印α）に対して非平行な向きにビス５０を止めて締結する。
【００２４】
本実施形態では、ビス止めを行なうために、図５及び図６に示すように、第２ケーシング３０に舌片３５を突設し（図６）、第１ケーシング２０に舌片３５の嵌まる凹部２５を凹設し（図５）、ビス止めの位置は、防水パッキン４０とは同一平面にならない位置としている。筐体１０の大型化を防ぐためである。
【００２５】
より詳細には、舌片３５には、ビス５０の嵌まる貫通孔３６を開設し、凹部２５には、貫通孔３６と対向する位置に予めネジ溝が刻設されたタップ穴２６を形成している。図示の実施形態では、貫通孔３６及びタップ穴２６の開設方向は防水パッキン４０の圧縮方向（図７の矢印α）に対して略垂直（図７の線β方向）である。なお、図示では舌片３５及び凹部２５はケーシング２０，３０に１のみ形成しているが、複数形成することができることは勿論である。
【００２６】
ビス止め方向を上記のように設定することで、ケーシング２０，３０の繰返しの開閉に伴うビス５０の緩みを抑えることができる。また、防水パッキン４０の反発力により、ビス５０が第１ケーシング２０及び／又は第２ケーシング３０に押し付けられるため、ビス５０の緩みをより効果的に抑えることができる。なお、ビス５０の止め方向は、防水パッキン４０の圧縮方向に対して略垂直とすることで、防水パッキン４０の反発方向がビス５０と略直交するから、ビス５０の緩みを最も効果的に抑えることができ、また、たとえビス５０の締付けが不完全であってもケーシングの開きを防止できる。
【００２７】
また、第１ケーシング２０と第２ケーシング３０には、図５乃至図７に示すように、仮止めの役割をなすと共にケーシング２０，３０の係合状態において、ビス５０が緩んだり外れた場合にフェールセーフの役割をなす係止部２７，３７が夫々形成されている。係止部２７，３７は、係合状態において、防水パッキン４０の圧縮方向（図７の矢印α）に略垂直に抗して係合するよう形成している。
【００２８】
本実施形態では、係止部２７，３７は、図５及び図６に示すように、前述の第１ケーシング２０の凹部２５に防水パッキン４０の圧縮方向（図７の矢印α）に対して係止面２８が略垂直に突設された第１係止部２７と、第２ケーシング３０の舌片３５に防水パッキン４０の圧縮方向に対して係止面３８が略垂直に形成された孔からなる第２係止部３７である。図示では、防水パッキン４０の圧縮方向に対して略平行に並ぶようにビス５０と係止部２７，３７を配置している。
【００２９】
係止部２７，３７は、図２に示すように、第１ケーシング２０と第２ケーシング３０とを組み立てる際に、舌片３５を凹部２５に沿ってスライドさせたときに、図７に示すように、第１係止部２７が第２係止部３７に嵌まって、ケーシング２０，３０どうしを仮止めする。
【００３０】
仮止めによって、第１ケーシング２０と第２ケーシング３０は開いてしまうことがなく、舌片３５の貫通孔３６と凹部２５のタップ穴２６が位置合わせされる。従って、この状態でビス５０を貫通孔３６からタップ穴２６に挿通し、ビス止めすればよい。
【００３１】
係止部２７，３７は、図７に示すように、係止面２８，３８が、防水パッキン４０の圧縮方向（矢印α）に対して略垂直に面当たりするから、仮止め状態で防水パッキン４０の反発力によって、第１ケーシング２０と第２ケーシング３０が外れてしまうことを防止できる。また、ビス止め後においては、ビス５０が緩んだり外れた場合であっても、係止部２７，３７が、防水パッキン４０の反発力に抗して係合状態を維持するから、第１ケーシング２０と第２ケーシング３０が外れてしまうことはなく、フェールセーフの役割をなす。
【００３２】
また、防水パッキン４０の圧縮方向に対して略平行に並べてビス５０と係止部２７，３７を配置したが、ビス５０と係止部２７，３７を防水パッキン４０の圧縮方向に略垂直等の並びとしてもよい。
【００３３】
本発明の筐体１０の防水構造によれば、第１ケーシング２０と第２ケーシング３０を防水パッキン４０の圧縮方向と非平行にビス止め或いはビス止めと係合を行なっている。これにより、従来のように防水パッキンの外周に防水パッキンの圧縮方向と平行にビス止めために、防水パッキンの外周にビス止めのための領域を形成する必要がない。従って、筐体の大型化も防止でき、筐体の大きさが同じであれば、防水パッキン４０をケーシング２０，３０の外周側に近接して配置できることで、防水空間１６を大きく採ることができる利点もある。
【００３４】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３５】
たとえば、上記実施形態では、説明を判り易くするために、第１ケーシング２０、第２ケーシング３０と称しているが、これらの構成、たとえば、凹部２５や舌片３５、係止部２７，３７は、何れに設けても構わない。また、貫通孔３６及びタップ穴２６と、係止部２７，３７の位置も上記に限定されるものではなく、これらの位置を入れ替えても構わない。同様に、嵌装部２３，３３についても、第１ケーシング２０を溝条、第２ケーシング３０を突条としてもよい。さらに、実施形態では、第２ケーシング３０から舌片３５を延設してネジ止めや係合を行なっているが、ケーシング２０，３０に直接貫通孔３６、タップ穴２６、係止部２７，３７を設けることもできる。また、タップ穴２６も予めネジ溝を刻設した構成であるが、セルフタップであってもよい。
【００３６】
上記実施形態では、１のビス止めに対して１の係止部を設けているが、これらの対応関係は１対１に限らず、たとえば、１のビス止めに対して２以上の係止部、２以上のビス止めに対して１の係止部等となるようにしても構わない。
【００３７】
また、本発明の防水構造は、筐体１０のすべてのビス止め或いは係合箇所に採用することが望まれるが、一部にのみ採用するようにしてもよいことは勿論である。
【符号の説明】
【００３８】
１０  筐体
２０  第１ケーシング
２２  接合面（第１ケーシング）
２５  凹部（第１ケーシング）
２６  タップ穴（第１ケーシング）
２７  第１係止部（第１ケーシング）
３０  第２ケーシング
３２  接合面（第２ケーシング）
３５  舌片（第２ケーシング）
３６  貫通孔（第２ケーシング）
３７  第２係止部（第２ケーシング）
４０  防水パッキン
５０  ビス
α  防水パッキンの圧縮方向
β  ビス止め方向
【図１】
0006487197.tif 000002
【図２】
0006487197.tif 000003
【図３】
0006487197.tif 000004
【図４】
0006487197.tif 000005
【図５】
0006487197.tif 000006
【図６】
0006487197.tif 000007
【図７】
0006487197.tif 000008